(57)【要約】【課題】  コンピュータケースの支持装置の提供。【解決手段】  コンピュータケースの底板の、ＣＰＵと冷却装置に対応する位置に支持構造を設け、該支持構造は凹空間とし、該凹空間の四つの角部に凸柱を凸設し、冷却装置の螺子止めに供し、該凹空間の利用により、この部分の構造の強度を増し、コンピュータケースの底板に強固にＣＰＵと冷却装置を支持させるようにした。【選択図】        図１
0003104430.tif 000002
【実用新案登録請求の範囲】
【請求項１】
コンピュータケースの支持装置において、該コンピュータケースは前板、背板、底板、上板及び左右の側板を具え、該コンピュータケース内にマザーボード、ＣＰＵ、各電子設備等が取り付けられ、ＣＰＵの上表面に冷却装置が設けられ、
該コンピュータケースの底板にあってＣＰＵと冷却装置に対応する位置に支持構造が設けられ、該支持構造が凹空間とされ、該凹空間の構造強度が底板のその他の位置より大きいことを特徴とする、コンピュータケースの支持装置。
【請求項２】
請求項１記載のコンピュータケースの支持装置において、前記凹空間の四つの角部に凸柱が凸設されて冷却装置に組み合わされたネジ部品がマザーボードに通され更に該凸柱にねじ込まれることで、冷却装置が凸柱に螺子止めされることを特徴とする、コンピュータケースの支持装置。
【考案の詳細な説明】
【技術分野】
【０００１】
本考案は一種のコンピュータケースの支持装置に係り、特に、コンピュータケースの底板に設けた支持構造であって、該支持構造によりＣＰＵ及び冷却装置をしっかりと支持するコンピュータケースの支持装置に関する。
【背景技術】
【０００２】
軽量化、小型化、薄型化の消費要求に伴い、大衆の要求に符合すべく各種の電子設備はそれ自身の重量ができるだけ軽減される。コンピュータに関しては、もしそれ自身の重量を軽減しようとするならば、ケースの重量を軽減したり、部品数量を減らすほかはなく、ケース重量を減らす方法として、アルミマグネシウム合金等の材料特性を利用して重量を軽減する方法、ケースの側板の厚さを薄くして全体のケースの重量を軽減する方法、或いはその他の異なる設計による方法があり、これによりコンピュータの軽量化、薄型化、小型化の目的が達成される。
【０００３】
しかし、ケースの各側板の厚さ、特に底板を薄くする場合、全体のコンピュータにおいてマザーボード上の冷却装置の重量が最も重いため、冷却装置をマザーボードに取り付けた後、ケース底板が薄くなって構造強度が足らなくなることで底板の冷却装置に対応する位置が下向きに凹む状況が発生しうる。
【考案の開示】
【考案が解決しようとする課題】
【０００４】
本考案の主要な目的は、一種のコンピュータケースの支持装置を提供することにあり、それは、コンピュータケースの底板に支持構造を設けて、該支持構造により底板のＣＰＵと冷却装置に対応する位置部分の構造強度を増すようにしたものとする。
【課題を解決するための手段】
【０００５】
請求項１の考案は、コンピュータケースの支持装置において、該コンピュータケースは前板、背板、底板、上板及び左右の側板を具え、該コンピュータケース内にマザーボード、ＣＰＵ、各電子設備等が取り付けられ、ＣＰＵの上表面に冷却装置が設けられ、
該コンピュータケースの底板にあってＣＰＵと冷却装置に対応する位置に支持構造が設けられ、該支持構造が凹空間とされ、該凹空間の構造強度が底板のその他の位置より大きいことを特徴とする、コンピュータケースの支持装置としている。
請求項２の考案は、請求項１記載のコンピュータケースの支持装置において、前記凹空間の四つの角部に凸柱が凸設されて冷却装置に組み合わされたネジ部品がマザーボードに通され更に該凸柱にねじ込まれることで、冷却装置が凸柱に螺子止めされることを特徴とする、コンピュータケースの支持装置としている。
【考案の効果】
【０００６】
本考案のコンピュータケースの支持装置は、コンピュータケースの底板の、ＣＰＵと冷却装置に対応する位置に支持構造を設け、該支持構造は凹空間とし、該凹空間の四つの角部に凸柱を凸設し、冷却装置の螺子止めに供し、該凹空間の利用により、この部分の構造の強度を増し、コンピュータケースの底板に強固にＣＰＵと冷却装置を支持させるようにしている。
【考案を実施するための最良の形態】
【０００７】
本考案によると、コンピュータケースは、前板、背板、底板、上板及び左右の側板で構成され、該ケース内にマザーボード、ＣＰＵ、各種の電子設備が設けられ、並びにＣＰＵの上表面に冷却装置が設けられている。そのうち、ケースの底板のＣＰＵ及び冷却装置に対応する位置部分に支持構造が設けられ、該支持構造は凹空間とされ、該凹空間の四つの角部に凸柱が凸設され、冷却装置の螺子止めに供される。ゆえに、該凹空間を利用して、この部分の構造を強化でき、ケースの底板に強固にＣＰＵ及び冷却装置を支持させることができる。
【実施例１】
【０００８】
図１に示されるように、本考案のコンピュータケース１は略直方体を呈し、前板１１、背板１２、底板１３、上板１４及び左右の側板１５、１６を具えている。前板１１と背板１２の間の距離は左右の側板１５、１６の間の距離より長く、コンピュータケース１の前板１１部分にＦＤドライブ、ＣＤドライブ等が取り付けられる。コンピュータケース１の背板１２には電源ソケット、各インタフェースコネクタ等が凸設される。
【０００９】
該コンピュータケース１の底板１３の四周に複数の凸柱１３１が凸設されてマザーボード２の螺子止めに供される（図３参照）。マザーボード２の上にはＣＰＵ２１（図４）、各種電子設備或いは部品２２が取り付けられる。ＣＰＵ２１の上には冷却装置２３が設けられる。
【００１０】
図１、２に示されるように、本考案中、コンピュータケース１の底板１３の、ＣＰＵ２１及び冷却装置２３に対応する位置に支持構造が設けられ、該支持構造は凹空間１３２とされ、該凹空間１３２の四つの角部に凸柱１３３が凸設されて冷却装置２３の螺子止めに供される。
【００１１】
図３、４に示されるように、マザーボード２及び冷却装置２３がコンピュータケース１内に取り付けられる時、マザーボード２はネジ部品を利用して底板１３の四周に設けられた凸柱１３１に取り付けられ、マザーボード２がコンピュータケース１内に固定される。冷却装置２３もまた、ネジ部品２３１を利用し、該ネジ部品２３１をマザーボード２に通してから凹空間１３２部分の凸柱１３３にねじ込むことでＣＰＵ２１の上に取り付けられ、且つＣＰＵ２１及び冷却装置２３はいずれも凹空間１３２の上方に位置する。
【００１２】
本考案中、該凹空間１３２は全体の全体の底板１３の小さい一部分しか占めず、ゆえにこの部分の構造強度を増し、これにより、ＣＰＵ２１及び冷却装置２３が凹空間１３２の上方に位置する時、該凹空間１３２が冷却装置２３の加える重量を支持し、底板１３のこの部分に変形を発生させにくくし、コンピュータケース１の底板１３により強固にＣＰＵ２１及び冷却装置２３を支持することができる。
【００１３】
総合すると、本考案のコンピュータケースの支持装置は上述の構造により上述の効果を確実に達成する。且つ本考案の構造はその出願前に頒布された刊行物にその記載がなく、また公開使用もなされていないため、新規性を有している。なお、本考案に基づきなしうる細部の修飾或いは改変は、いずれも本考案の請求範囲に属するものとする。
【図面の簡単な説明】
【００１４】
【図１】本考案のコンピュータケースの立体外観図である。
【図２】本考案のコンピュータケースの部分側面断面図である。
【図３】本考案のマザーボード、冷却装置をコンピュータケース内に取り付けた状態の立体外観図である。
【図４】図３の部分側面断面図である。
【符号の説明】
【００１５】
１  コンピュータケース                    １１  前板
１２  背板                                １３  底板
１３１、１３３  凸柱                      １３２  凹空間
１４  上板                                １５  側板
１６  側板                                ２  マザーボード
２１  ＣＰＵ                              ２２  部品
【図１】
0003104430.tif 000003
【図２】
0003104430.tif 000004
【図３】
0003104430.tif 000005
【図４】
0003104430.tif 000006